(57)【要約】【課題】スクリーンを所望の位置に容易に取り付けることが可能なコンクリート製ろ過槽を提供する。【解決手段】浮上ろ材からなる浮上ろ材層と、前記浮上ろ材層の上側に配置されて前記浮上ろ材の流出を防止するスクリーンと、前記浮上ろ材層より下側に配置された原水流入口及び逆洗排水排出口と、前記スクリーンの上側に設けられたろ過水貯留部とを備え、前記原水流入口から流入した原水を前記浮上ろ材層に上向流で通水することにより原水をろ過し、得られたろ過水を前記ろ過水貯留部に貯留するコンクリート製ろ過槽であって、前記コンクリート製ろ過槽の側壁の内周面側に埋設され、略水平方向に延在する開口部をコンクリート製ろ過槽の内周の少なくとも一部に形成する受け部材と、前記開口部に嵌挿される嵌挿部と、前記スクリーンが載置される載置部とを有する板状のスクリーン固定用部材とを備え、前記スクリーンは、前記開口部に嵌挿されたスクリーン固定用部材の前記載置部に固定されていることを特徴とする、コンクリート製ろ過槽である。【選択図】図４
2014018780.tif 000002
【特許請求の範囲】
【請求項１】
浮上ろ材からなる浮上ろ材層と、前記浮上ろ材層の上側に配置されて前記浮上ろ材の流出を防止するスクリーンと、前記浮上ろ材層より下側に配置された原水流入口及び逆洗排水排出口と、前記スクリーンの上側に設けられたろ過水貯留部とを備え、前記原水流入口から流入した原水を前記浮上ろ材層に上向流で通水することにより原水をろ過し、得られたろ過水を前記ろ過水貯留部に貯留するコンクリート製ろ過槽であって、
前記コンクリート製ろ過槽の側壁の内周面側に埋設され、略水平方向に延在する開口部をコンクリート製ろ過槽の内周の少なくとも一部に形成する受け部材と、
前記開口部に嵌挿される嵌挿部と、前記スクリーンが載置される載置部とを有する板状のスクリーン固定用部材とを備え、
前記スクリーンは、前記開口部に嵌挿されたスクリーン固定用部材の前記載置部に固定されていることを特徴とする、コンクリート製ろ過槽。
【請求項２】
互いに離隔した複数の前記受け部材を同一水平面内に有し、
前記受け部材が形成する開口部には前記スクリーン固定用部材がそれぞれ嵌挿され、
前記スクリーン固定用部材同士を結合する結合部を備えることを特徴とする、請求項１に記載のコンクリート製ろ過槽。
【請求項３】
前記受け部材と前記スクリーン固定用部材の嵌挿部との間にゴム部材を有することを特徴とする、請求項１又は２に記載のコンクリート製ろ過槽。
【請求項４】
前記受け部材が、開口部側表面を被覆するゴム層を有することを特徴とする、請求項１乃至３のいずれか１項に記載のコンクリート製ろ過槽。
【請求項５】
前記スクリーン固定用部材が、前記嵌挿部を被覆するゴム層を有することを特徴とする、請求項１乃至４のいずれか１項に記載のコンクリート製ろ過槽。
【発明の詳細な説明】
【技術分野】
【０００１】
本発明は、コンクリート製ろ過槽に関し、特には、浮上ろ材よりなる浮上ろ材層と、浮上ろ材の流出を防止するスクリーンとをコンクリート製の水槽内に配設してなるコンクリート製ろ過槽に関する。
【背景技術】
【０００２】
従来、下水等の原水をろ過してろ過水を得るろ過システムとして、発泡高分子製の多数の浮上ろ材よりなる浮上ろ材層と、浮上ろ材層の上側に配置されて浮上ろ材の流出を防止するスクリーンと、浮上ろ材層の下側に配置された原水流入口および逆洗排水排出口と、スクリーンの上側に位置するろ過水貯留部とを有するろ過槽を備えるろ過システムが知られている（例えば、特許文献１参照）。
【０００３】
そして、浮上ろ材を用いた上記従来のろ過システムでは、原水流入口から流入した原水を浮上ろ材層に上向流で通水することにより、夾雑物（例えば、ごみ、異物など）や浮遊性懸濁物質が除去されたろ過水を得ている。また、上記従来のろ過システムでは、ろ過の継続に伴い浮上ろ材層に夾雑物や浮遊性懸濁物質が補足されてろ過抵抗が増加すると、ろ過水貯留部に貯留したろ過水を自然流下させることにより、下向流で浮上ろ材層を逆流洗浄（以下「逆洗」と称することがある。）している。
【０００４】
ここで、このようなろ過システムのろ過槽は、従来、コンクリート製の水槽内に浮上ろ材を投入し、その後、投入された浮上ろ材の上側で水槽の側壁面にスクリーンを固定することにより構築されていた。そして、スクリーンの固定は、図３に示すように、コンクリート製の水槽１の側壁２に複数本のアンカーボルト３（以下、単に「アンカー」と称することがある。）を予め埋設しておき、この複数本のアンカー３にスクリーンを支持するための受け枠４を取り付け、更に、この受け枠４にスクリーンをボルト等で固定することにより行っていた。
【先行技術文献】
【特許文献】
【０００５】
【特許文献１】特許第３８５３７３８号公報
【発明の概要】
【発明が解決しようとする課題】
【０００６】
コンクリート製水槽の製造時に予め設置されるアンカーは、コンクリート打設前に型枠へ固定する方法やコンクリートの硬化後に穴加工の上に後取付けするなどの方法で施工されていたが、コンクリート打設前に型枠へ固定する方法では、取り付ける金具や機械部品の許容する寸法誤差の範囲に収めることが困難であった。また、コンクリートの硬化後に穴加工の上に後取付けする方法では、その施工は難しく熟練した技術を必要としていた。
なお、プレキャストコンクリートを使用してろ過槽を形成し、ろ過槽の内面にドリル等により穴を開けてアンカーを後付けで取り付けることにより所望の位置にアンカーを設置することも考えられるが、コンクリートに穴を開けてアンカーを取り付ける作業は煩雑で、手間がかかる。また、コンクリート内部の鉄筋の配置によっては、所望の位置に穴を開けること自体が困難な場合がある。
【０００７】
そこで、本発明は、スクリーンを所望の位置に容易に取り付けることが可能なコンクリート製ろ過槽を提供する。
【課題を解決するための手段】
【０００８】
この発明は、上記課題を有利に解決することを目的とするものであり、本発明のコンクリート製ろ過槽は、浮上ろ材からなる浮上ろ材層と、前記浮上ろ材層の上側に配置されて前記浮上ろ材の流出を防止するスクリーンと、前記浮上ろ材層より下側に配置された原水流入口及び逆洗排水排出口と、前記スクリーンの上側に設けられたろ過水貯留部とを備え、前記原水流入口から流入した原水を前記浮上ろ材層に上向流で通水することにより原水をろ過し、得られたろ過水を前記ろ過水貯留部に貯留するコンクリート製ろ過槽であって、前記コンクリート製ろ過槽の側壁の内周面側に埋設され、略水平方向に延在する開口部をコンクリート製ろ過槽の内周の少なくとも一部に形成する受け部材と、前記開口部に嵌挿される嵌挿部と、前記スクリーンが載置される載置部とを有する板状のスクリーン固定用部材とを備え、前記スクリーンは、前記開口部に嵌挿されたスクリーン固定用部材の前記載置部に固定されていることを特徴とする。受け部材を側壁に埋設し、ろ過槽の内周の少なくとも一部に略水平方向に延在する所定長さの開口部を形成して、当該開口部に板状のスクリーン固定用部材を嵌挿すれば、複数本のアンカーを使用した場合のように、隣接する部材間での位置ずれによりスクリーン固定用部材の取り付けが困難になることがない。従って、スクリーン固定用部材を所望の位置に容易に取り付けることができる。
【０００９】
ここで、本発明のコンクリート製ろ過槽は、互いに離隔した複数の前記受け部材を同一水平面内に有し、前記受け部材が形成する開口部には前記スクリーン固定用部材がそれぞれ嵌挿され、前記スクリーン固定用部材同士を結合する結合部を備えることが好ましい。同一水平面上に配設された複数の受け部材を使用し、各受け部材が形成する各開口部にスクリーン固定用部材を夫々嵌挿して結合部で結合すれば、広範な範囲に亘ってスクリーン固定用部材を容易に取り付けることができるためである。
【００１０】
また、本発明のコンクリート製ろ過槽は、前記受け部材と前記スクリーン固定用部材の嵌挿部との間にゴム部材を有することが好ましい。受け部材とスクリーン固定用部材の嵌挿部との間にゴム部材を有することにより、受け部材にスクリーン固定用部材を安定的に取り付けることができると共に、ろ過槽の使用時に受け部材とスクリーン固定用部材との間に水が浸入することを防ぐことができるためである。
【００１１】
更に、本発明のコンクリート製ろ過槽は、前記受け部材が、開口部側表面を被覆するゴム層を有することが好ましい。受け部材にスクリーン固定用部材を安定的に取り付けることができると共に、ろ過槽の使用時に受け部材とスクリーン固定用部材との間に水が浸入することを防ぐことができるためである。
【００１２】
また、本発明のコンクリート製ろ過槽は、前記スクリーン固定用部材が、前記嵌挿部を被覆するゴム層を有することが好ましい。受け部材にスクリーン固定用部材を安定的に取り付けることができると共に、ろ過槽の使用時に受け部材とスクリーン固定用部材との間に水が浸入することを防ぐことができるためである。
【発明の効果】
【００１３】
本発明によれば、スクリーンを所望の位置に容易に取り付けたコンクリート製ろ過槽を提供することができる。
【図面の簡単な説明】
【００１４】
【図１】ろ過システムの設置位置の一例を示す説明図である。
【図２】本発明に従う代表的なコンクリート製ろ過槽を備えたろ過システムの概略構成を説明する説明図である。
【図３】（ａ）は、従来のコンクリート製ろ過槽の平面図であり、（ｂ）は、図３（ａ）に示す従来のコンクリート製ろ過槽のＩＩＩ−ＩＩＩ線に沿った断面図である。
【図４】（ａ）は、本発明に従う代表的なコンクリート製ろ過槽の平面図であり、（ｂ）は、図４（ａ）に示すコンクリート製ろ過槽のＩＶ−ＩＶ線に沿った端面図であり、（ｃ）は、図４（ｂ）に示す端面図の開口部近傍を拡大して示す図である。
【図５】スクリーン固定用部材を概略的に示す図である。
【図６】本発明の変形例に係るコンクリート製ろ過槽の端面の開口部近傍を拡大して示す図である。
【発明を実施するための形態】
【００１５】
以下、本発明の実施の形態を、図面に基づき詳細に説明する。なお、各図において同一の符号を付したものは、同一の構成要素を示すものとする。
【００１６】
ここで、本発明に係るろ過槽を含んだろ過システムは、特に限定されることなく、下水の処理等に用いることができる。具体的には、本発明に係るろ過槽を含んだろ過システムは、図１にろ過システム１００の設置位置の一例を示すように、雨水と汚水とを同一の管路で流す合流式下水道において、合流下水管１１１の近傍に配置して、計画遮集量ｎＱを超えた、下水処理場にて処理しきれない越流水（ｎＱ超過分）をその場（オンサイト）で処理する際に用いることができる。なお、「計画遮集量ｎＱ」とは、下水処理場の処理能力に応じて設計される遮集管の計画遮集量であり、ここで、「ｎ」は都市により異なる数値である。また、「Ｑ」は晴天時時間最大汚水量である。
【００１７】
そして、図１に示す、ろ過システム１００を適用した合流式下水道では、合流下水管１１１に流入する雨水および汚水の量が計画遮集量を超えた場合に、越流水（原水）が合流下水管１１１に設けられた越流部（図示せず）を超えてろ過システム１００へと流入し、処理される。ここで、越流部は、望ましくは既設の雨水吐き１１２の下流側に設けられる。但し、雨水吐き１１２の下流側への設置が困難な場合には、雨水吐き１１２や、雨水吐き１１２の上流側に設けても良い。そして、ろ過システム１００でろ過されて水質が改善した越流水（ろ過水）は、河川１１４等に放流されることとなる。
【００１８】
ここで、図２に示すように、本発明の一例のろ過システム１００は、浮上ろ材層１２を有するろ過槽１０と、原水ポンプ２１と、原水供給路４１と、集水配管６１とを具えている。ろ過槽１０と、原水ポンプ２１とは、地中または地上に配置され、ろ過槽１０には、地中または地上に配置した原水槽（図示せず）から、原水が供給される。なお、原水供給路４１には、原水供給弁４２が設けられている。
【００１９】
ろ過槽１０は、原水をろ過してろ過水を得るろ過槽として機能する。ここでろ過槽１０はコンクリート製である。そして、図２に示すように、ろ過槽１０は、コンクリート製の水槽内に、スクリーン１１と、スクリーン１１で支持された複数の浮上ろ材からなる浮上ろ材層１２と、浮上ろ材層１２の下側に設置された原水流入口１３と、浮上ろ材層１２の下側に設置された複数の逆洗排水排出口１４と、スクリーン１１の上側に設けられたろ過水貯留部１５と、スクリーン１１の上側に設けられたろ過水流出口１６とを配置して構成されている。
【００２０】
ここで、浮上ろ材とは、原水よりも比重の小さい（即ち、原水中で浮く）ろ材である。そして、ろ過システム１００では、浮上ろ材として、特許文献１や特開２０１０−２２１１９７号公報に記載の発泡高分子製の粒子状の浮上ろ材などの既知の浮上ろ材を用いることができる。
【００２１】
なお、浮上ろ材層１２は、所定の高さまで水を入れたろ過槽１０内に多数の浮上ろ材を投入した後、投入した浮上ろ材の上側にスクリーン１１を設置することにより、ろ過槽１０内に設けることができる。
そして、スクリーン１１としては、浮上ろ材の流出を防止し得るスクリーン、例えば、パンチングメタル等を用いることができる。なお、スクリーン１１をろ過槽１０へ設置するためのスクリーン固定構造については、以下で詳細に説明する。
【００２２】
ここで、このろ過システム１００では、原水ポンプ２１の吸入口は、原水としての越流水が流入する原水槽（図示せず）に接続されている。また、原水ポンプ２１の吐出口は、原水供給路４１に接続されており、原水供給路４１は、原水ポンプ２１の吐出口と、ろ過槽１０の原水流入口１３とを接続している。なお、原水ポンプ２１としては、既知のポンプを適宜選択して用いることができる。
【００２３】
また、ろ過システム１００では、ろ過槽１０の下部に位置する複数の（図２では６つの）逆洗排水排出口１４は、ろ過槽１０から逆洗排水を排出する集水配管６１に接続されており、集水配管６１は、地中または地上に配置した逆洗排水槽（図示せず）まで延在している。即ち、集水配管６１は、逆洗排水排出口１４と、逆洗排水槽とを接続している。なお、集水配管６１は、集水配管弁６２を有している。
【００２４】
従って、このろ過システム１００では、原水供給弁４２を開き、集水配管弁６２を閉じた状態で原水ポンプ２１を運転させることにより、原水槽（図示せず）から原水をろ過槽１０の下部へと送水し、浮上ろ材層１２に原水を上向流で通水して、ろ過水を得ることができる。そして、得られたろ過水は、ろ過水貯留部１５内を上向流で流れた後、ろ過水流出口１６を介して河川等へ放流される。
また、ろ過システム１００では、定期的に、或いは、ろ過抵抗が所定値以上に上昇すると、原水供給弁４２を閉じ、原水ポンプ２１を停止させ、集水配管弁６２を開いて、浮上ろ材層１２を逆洗する。具体的には、集水配管６１を介してろ過槽１０内の水を逆洗排水槽（図示せず）へと水頭差を利用して排水し、ろ過水貯留部１５に貯留されたろ過水を浮上ろ材層１２に下向流で通水して、浮上ろ材層１２を構成する多数の浮上ろ材を下方に展開させる。そして、浮上ろ材層１２に補足されていた夾雑物や浮遊性懸濁物質を浮上ろ材層１２から排出させ、浮上ろ材層１２を逆洗する。
【００２５】
ここで、ろ過槽１０内にスクリーン１１を設置するためのスクリーン固定構造について以下に詳細に説明する。
【００２６】
図４（ａ）にコンクリート製ろ過槽１０の平面図に示す通り、ろ過槽１０は、平面視四角形状で、一端が開口した中空の直方体状をしている。即ち、ろ過槽１０は、４つの側壁と、底面とにより区画形成されている。
【００２７】
ここで、図４（ｂ）に図４（ａ）のＩＶ−ＩＶ線に沿う端面を示すように、ろ過槽の側壁の内周面側には受け部材１７が埋設されており、ろ過槽の内周面には、受け部材１７によって開口部１７’が形成されている。また、開口部１７’には、板状のスクリーン固定用部材１８が嵌挿されている。
そして、ろ過槽１０では、スクリーン１１は、スクリーン固定用部材１８にボルト等で固定されている。なお、図４では、構造の理解を容易にするため、スクリーンや浮上ろ材層等の図示を省略している。
【００２８】
受け部材１７は、長手方向に延在する凹部を有する長尺の部材よりなり、該凹部は、受け部材１７がろ過槽の側壁に埋設された際に開口部１７’を形成する。具体的には、図４（ｂ）に示す端面の要部を拡大して図４（ｃ）に示すように、受け部材１７は、長手方向（延在方向）に直交する断面の形状が略コ字状をしている。そして、受け部材１７の長さは、ろ過槽の側壁の一辺よりも短い。
なお、受け部材１７は、例えば、金属板を曲げ加工することにより形成することができる。また、受け部材１７として、既製の溝形鋼を用いることもできる。
【００２９】
そして、受け部材１７は、コンクリート製ろ過槽１０の４つの側壁の各々の内周面側に埋設され、ろ過槽１０の内周に、略水平方向に延在する開口部１７’を４つ形成する。即ち、４つの受け部材１７は、凹部の延在方向が略水平方向となるようにコンクリート製ろ過槽１０の内周面側に互いに離隔させて埋設され、ろ過槽１０の内周に、略水平方向に延在する開口部１７’を４つ形成している。受け部材の形状は、略水平方向に延在する開口部１７’をろ過槽１０の内周に形成することができれば、特に限定されるものではない。
【００３０】
ここで、略水平方向とは、厳密に水平な方向のみならず、受け部材の埋設時などに不可避的に生じるずれにより水平方向から若干ずれた方向も含む方向をいう。具体的には、略水平方向には、例えば、鉛直方向に直交する水平面に対して１０°以下の角度を成す線分と平行な方向も含まれる。即ち、略水平方向に延在する開口部には、水平方向に対して最大で１０°の角度を形成して延在する開口部が含まれる。なお、開口部の延在方向とは、開口部の側壁面側開口の高さ方向の幅の中心線が延在する方向である。従って、開口部は、側壁面側開口の高さ方向の幅中心線が略水平方向に延在していれば、側壁面側開口よりもろ過槽外側の部分は水平面に対して傾斜して延在していてもよい。
【００３１】
なお、スクリーンを水平に設置するため、図４（ｂ）に示すように、複数の受け部材１７は、ろ過槽１０の内周面に亘って、ろ過槽１０のほぼ同じ高さ位置に設けられている。そのため、受け部材１７によってろ過槽の側壁１０の内周に形成される複数の開口部１７’は、内周面に亘って、ろ過槽のほぼ同じ高さ（即ち、同一水平面内）に離隔して形成されている。ここで、「開口部が同一水平面内に形成されている」とは、開口部に板状のスクリーン固定用部材１８を嵌挿し、スクリーンを取り付けることができることを意味し、「開口部が同一水平面内に形成されている」には、スクリーンを取り付けることが可能な範囲内で各々の受け部材１７同士の設置される高さが上下にわずかに異なっている場合が含まれる。
【００３２】
因みに、受け部材１７は、コンクリートを乾燥させる前に型枠の所望の位置に受け部材１７を取り付けておくことにより、ろ過槽１０の側壁の内周面側に一体的に埋設することができる。例えば、型枠に受け部材１７を長手方向の複数個所で固定し、受け部材１７を設置した型枠に、生コンクリートを流し入れて、硬化させ、乾燥させることにより、ろ過槽１０の内周面に埋設することができる。
【００３３】
そして、ろ過槽１０の側壁の内周面に形成された開口部１７’の各々には、スクリーン固定用部材１８が１つずつ嵌挿されている。
【００３４】
スクリーン固定用部材１８は、例えば、板状の鋼材や樹脂材である。スクリーン固定用部材１８は、受け部材１７により形成された開口部１７’に嵌挿される嵌挿部１８ａと、スクリーン１１が載置される載置部１８ｂとを有する。そして、スクリーン固定用部材１８の載置部１８ｂは、開口部１７’に嵌挿部１８ａを嵌挿した際に開口部１７’の側壁面側開口から水平方向に突出するように構成されている。即ち、開口部が深さ方向に水平面に対して傾斜して形成されている場合であっても、スクリーン１１が載置される載置部１８ｂは水平である。
【００３５】
具体的には、図４（ａ）および図５に示すように、スクリーン固定用部材１８の嵌挿部１８ａは、開口部１７’に対応した形状をしており、長手方向の長さが開口部１７’の延在方向長さと等しく、幅が開口部１７’の深さ（ろ過槽内からろ過槽外へと向かう方向の寸法）と等しい。また、スクリーン固定用部材１８の載置部１８ｂは、長手方向の長さが、嵌挿部１８ａよりも長く、且つ、平面視四角形状のろ過槽１０の側壁の内面の一辺の長さと略等しく、幅が、スクリーンを安定的に支持可能な任意の幅とされている。
【００３６】
そして、上述したスクリーン固定用部材１８は、嵌挿部１８ａを、受け部材１７が形成する開口部１７’に嵌挿することにより、開口部１７’に取り付けることができる。そして、スクリーン固定用部材１８の嵌挿部１８ａをろ過槽の開口部１７’に嵌挿すると、スクリーン固定用部材１８は、図４に示す通り、載置部１８ｂをろ過槽１０内に水平に露出した状態でろ過槽１０内に固定される。なお、嵌挿部１８ａと受け部材１７との間には、任意にゴム部材１９を介在させてもよい。
【００３７】
ここで、上述の通り、４つの受け部材１７は、それぞれ、ろ過槽の内周面に亘って、ろ過槽のほぼ同じ高さに離隔して設けられており、そのため、受け部材１７によってろ過槽の側壁の内周に形成される複数の開口部１７’も、ろ過槽の内周面に亘って、ろ過槽のほぼ同じ高さに離隔して形成されている。従って、ろ過槽１０内に露出した４つの載置部１８ｂは、同一水平面内に存在することになる。また、スクリーン固定用部材１８の載置部１８ｂの長手方向の寸法は、スクリーン固定用部材１８の嵌挿部１８ａの長手方向の寸法よりも大きく、平面視四角形状のろ過槽１０の側面の内面の一辺の長さと略等しい。そのため、４つの開口部１７’が各々離隔している場合であっても、載置部１８ｂは、ろ過槽１０の内周の全周に亘って位置することになる。
従って、ろ過槽１０では、４つの開口部１７’に夫々嵌挿されたスクリーン固定用部材１８の載置部１８ｂが互いに干渉することになる。そこで、ろ過槽１０では、図４（ａ）に示すように、スクリーン固定用部材１８の載置部１８ｂの一部同士をろ過槽の高さ方向に重ね合わせ、載置部１８ｂをろ過槽１０の内周の全周に亘って位置させる。
そして、図４（ａ）に示すように、載置部１８ｂ同士が一部重なっている部分を、結合部２０で結合する。結合部２０としては、載置部１８ｂ同士が一部重なっている部分を結合することができるものであれば、特に限定されないが、例えば、ボルトが挙げられる。更に、結合部２０として、例えば、載置部１８ｂ同士の一部重なっている部分を溶接することにより当該部分を結合する溶接部や、載置部１８ｂ同士の一部重なっている部分を接着することにより当該部分を結合する接着部が挙げられる。
【００３８】
通常、ろ過槽側壁内面側を一周する一枚のスクリーン固定用部材を設置することは困難であるが、このように、互いに離隔した複数の受け部材１７を同一平面内に配置し、且つ、受け部材１７の各々にスクリーン固定用部材１８を嵌挿し、スクリーン固定用部材１８同士を結合部によって結合することにより、ろ過槽側壁内面側を一周するスクリーン固定用部材を簡便に設置することができる。
【００３９】
ここで、図４（ｂ）及び（ｃ）に示すように、スクリーン固定用部材１８と嵌挿部１８ａとの間には、任意にゴム部材１９が設けられている。このように、スクリーン固定用部材１８と嵌挿部１８ａとの間にゴム部材１９を設けることによって、受け部材１７にスクリーン固定用部材１８を安定的に取り付けることができると共に、ろ過槽内の水が、受け部材１７とスクリーン固定用部材１８との間に浸入することを防ぐことができる。
【００４０】
なお、ゴム部材１９は、例えば、受け部材１７の開口部側表面、又は、スクリーン固定用部材１８の嵌挿部１８ａのいずれかをゴムで被覆してなるゴム層であってもよい。別の例によれば、受け部材１７の開口部側表面とスクリーン固定用部材１８の嵌挿部１８ａとの両方を被覆するゴム層であってもよい。また、ゴム部材１９は、受け部材１７やスクリーン固定用部材１８とは別体の部材であってもよい。
【００４１】
このようにして構成されるスクリーン固定構造に、スクリーン１１が取り付けられている。具体的には、スクリーン１１は、スクリーン固定用部材１８の載置部１８ｂに載置され、例えば、ボルトを使用して、又は溶接若しくは接着によって、スクリーン固定用部材１８の載置部１８ｂに固定されている。なお、先述の結合部を設ける場合、スクリーン１１は、結合部が位置する四隅を切り欠いた形状とすることもできる。
【００４２】
上記一例に係るコンクリート製ろ過槽１０では、開口部１７’を、コンクリート製ろ過槽の内周を構成する４つの辺に形成したが、スクリーン１１をろ過槽内部に取り付けるためには、開口部はろ過槽１０の側壁の内周の少なくとも一部に形成されていればよい。
【００４３】
図３（ａ）及び（ｂ）に示した従来のコンクリート製ろ過槽では、ろ過槽の側壁の内周面側に、アンカーを設置し、このアンカーを利用して、スクリーンを固定するための受け板を設置していた。アンカーの設置は、コンクリート打設前に型枠へ固定する方法やコンクリートの硬化後に穴加工の上に後取付けするなどの方法で施工されていたが、コンクリート打設前に型枠へ固定する方法では、取り付ける金具や機械部品の許容する寸法誤差の範囲に収めることが困難であった。また、コンクリートの硬化後に穴加工の上に後取付けする方法では、その施工は難しく熟練した技術を必要としていた。
本発明に係るコンクリート製ろ過槽においては、上述のように、その側壁の内周面側に受け部材を埋設し、略水平方向に延在する開口部を内周の少なくとも一部に形成し、且つ、前記開口部にスクリーン固定用部材を嵌挿し、ろ過槽内に露出したスクリーン固定用部材の載置部にスクリーンを固定している。そのため、ろ過槽内にスクリーン固定用部材を高精度で設置することができ、また、スクリーン固定用部材に固定されるスクリーンも精度良く取り付けることができる。より具体的には、所定の長さを有する受け部材が形成する開口部の夫々に一つのスクリーン固定用部材を嵌挿し、そのスクリーン固定用部材にスクリーンを固定しているので、スクリーン固定用部材を嵌挿する際に当該スクリーン固定用部材が嵌挿される受け部材の開口部が、開口部内で高さ方向にずれるということがない。従って、スクリーンを所望の位置に容易に取り付けることができる。
【００４４】
以上、一例を用いて本発明のコンクリート製ろ過槽について説明したが、本発明のコンクリート製ろ過槽は、上記一例に限定されることはなく、本発明のコンクリート製ろ過槽には適宜変更を加えることができる。
【００４５】
例えば、図６に示すように、スクリーン固定用部材１８を支持するためのスクリーン固定用部材支持部材３０を、ろ過槽１０の側壁の内周に更に設けてもよい。なお、スクリーン固定用部材支持部材３０は、特に限定されることなく、受け部材１７を埋設したコンクリート水槽にボルト等の既知の手法を用いて、ゴム層１９の取付け後に、ゴム層１９の抜け出しの抑制及び支持部材１８の固定を目的として取り付けることができる。
また、上述した結合部２０は、省略してもよい。
【００４６】
また、例えば、ろ過槽１０の水平方向の断面形状は、円形又は多角形であってもよい。更に、ろ過槽としては、地面を掘削して形成した縦穴、例えば、マンホールを使用してもよいし、地上に形成したコンクリート水槽を使用してもよい。
【産業上の利用可能性】
【００４７】
本発明によれば、スクリーンを所望の位置に容易に取り付けたコンクリート製ろ過槽を提供することができる。
【符号の説明】
【００４８】
１０      ろ過槽
１１      スクリーン
１２      浮上ろ材層
１３      原水流入口
１４      逆洗排水排出口
１５      ろ過水貯留部
１６      ろ過水流出口
１７      受け部材
１７’    開口部
１８      スクリーン固定用部材
１８ａ    嵌挿部
１８ｂ    載置部
１９      ゴム部材
２０      結合部
２１      原水ポンプ
２２      吸込口
３０      スクリーン固定用部材支持部材
６１      集水配管
６２      集水配管弁
１００    ろ過システム
１１１    合流下水道
１１２    雨水吐き
１１３    遮集管
１１４    河川
【図１】
2014018780.tif 000003
【図２】
2014018780.tif 000004
【図３】
2014018780.tif 000005
【図４】
2014018780.tif 000006
【図５】
2014018780.tif 000007
【図６】
2014018780.tif 000008